【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
表示部に表示される医用画像に関する複数の医用情報を取得する第１の取得手段と、
前記複数の医用情報に含まれる少なくとも一部の医用情報に基づいて、前記少なくとも一部の医用情報により示される事象と因果関係を有する事象についての推論結果を取得する第２の取得手段と、
前記医用画像と、前記推論結果と、前記複数の医用情報のうち前記推論結果に影響を与えた医用情報とを前記表示部に表示させる表示制御手段と、
を有することを特徴とする情報処理装置。
【請求項２】
前記表示制御手段は、前記推論結果に影響を与えた医用情報として、前記推論結果の取得に用いられた前記少なくとも一部の医用情報の中から選択された医用情報を前記表示部に表示させることを特徴とする請求項１に記載の情報処理装置。
【請求項３】
前記表示制御手段は、前記第１の取得手段により取得された前記複数の医用情報を前記表示部に表示させることを特徴とする請求項１又は請求項２のいずれか１項に記載の情報処理装置。
【請求項４】
前記複数の医用情報は、前記表示部に表示される前記医用画像に関する、読影所見又は画像特徴量の少なくともいずれかを含むことを特徴とする請求項１乃至請求項３のいずれか一項に記載の情報処理装置。
【請求項５】
前記第１の取得手段は、ユーザの入力を受け付けることにより前記複数の医用情報を取得することを特徴とする請求項１乃至請求項４のいずれか一項に記載の情報処理装置。
【請求項６】
前記表示制御手段は、前記複数の医用情報のうち前記推論結果に肯定的な影響を与えた医用情報を前記推論結果に影響を与えた医用情報として前記表示部に表示させることを特徴とする請求項１乃至請求項５のいずれか一項に記載の情報処理装置。
【請求項７】
前記表示制御手段は、前記複数の医用情報のうち前記推論結果に否定的な影響を与えた医用情報を前記推論結果に影響を与えた医用情報として前記表示部に表示させることを特徴とする請求項１乃至請求項６のいずれか一項に記載の情報処理装置。
【請求項８】
前記複数の医用情報から取り出された医用情報、または、前記複数の医用情報から取り出された医用情報を要素とする部分集合が、前記因果関係を有する複数の事象の少なくとも一つの事象についての推論結果に与えた影響度を算出する算出手段をさらに有することを特徴とする請求項１乃至請求項７のいずれか一項に記載の情報処理装置。
【請求項９】
前記表示制御手段は、前記影響度に基づいて選択される医用情報を、前記推論結果に影響を与えた医用情報として前記表示部に表示させることを特徴とする請求項８に記載の情報処理装置。
【請求項１０】
前記表示制御手段は、前記影響度が最大の医用情報又は影響度が最大の部分集合を、前記推論結果に影響を与えた医用情報として前記表示部に表示させることを特徴とする請求項９に記載の情報処理装置。
【請求項１１】
前記表示制御手段は、前記推論結果に影響を与えた医用情報のうち、前記影響度に基づいて特定される所定の数の医用情報を前記表示部に表示させることを特徴とする請求項９又は請求項１０のいずれか一項に記載の情報処理装置。
【請求項１２】
前記因果関係を有する事象は、診断名の複数の候補のうちの少なくとも一つであることを特徴とする請求項１乃至請求項１１のいずれか一項に記載の情報処理装置。
【請求項１３】
前記第２の取得手段は、事前確率が設定されている前記診断名の複数の候補のそれぞれについて、前記複数の医用情報に含まれる少なくとも一部の医用情報に基づいて事後確率を計算することにより、前記診断名の複数の候補のそれぞれについての推論確率を前記推論結果として取得することを特徴とする請求項１２に記載の情報処理装置。
【請求項１４】
前記表示制御手段は、前記医用画像と、前記診断名の複数の候補のそれぞれの推論確率と、前記複数の医用情報のうち前記推論確率に影響を与えた医用情報とを前記表示部に表示させることを特徴とする請求項１３に記載の情報処理装置。
【請求項１５】
前記表示制御手段は、前記推論確率に影響を与えた医用情報を、前記診断名の候補ごとに表示させることを特徴とする請求項１４に記載の情報処理装置。
【請求項１６】
前記推論結果に対する評価値を取得する評価手段をさらに有し、
前記表示制御手段は、前記評価値が所定の条件を満たさない場合には、前記推論結果の信頼性に関する警告を表示させることを特徴とする請求項１乃至請求項１５のいずれか一項に記載の情報処理装置。
【請求項１７】
前記表示部に表示させるための医用情報を選択する選択手段をさらに有し、
前記表示制御手段は前記選択手段により選択された医用情報を前記表示部に表示させることを特徴とする請求項１乃至請求項１６のいずれか一項に記載の情報処理装置。
【請求項１８】
前記表示制御手段は、前記因果関係を有する事象のうち、前記事象が生じる確率である推論確率に基づいて特定される診断名を前記推論結果として前記表示部に表示させることを特徴とする請求項１乃至請求項１７のいずれか一項に記載の情報処理装置。
【請求項１９】
前記表示制御手段は、前記医用画像を、前記推論結果及び前記医用情報と重ならない位置に表示させることを特徴とする請求項１乃至請求項１８のいずれか一項に記載の情報処理装置。
【請求項２０】
前記表示制御手段は、前記医用画像、前記推論結果及び前記医用情報を前記表示部に並べて表示させることを特徴とする請求項１乃至１９のいずれか一項に記載の情報処理装置。
【請求項２１】
表示部に表示される医用画像に関する複数の医用情報を取得する工程と、
前記複数の医用情報に含まれる少なくとも一部の医用情報に基づいて、前記少なくとも一部の医用情報により示される事象と因果関係を有する事象についての推論結果を取得する工程と、
前記医用画像と、前記推論結果と、前記複数の医用情報のうち前記推論結果に影響を与えた医用情報とを前記表示部に表示させる工程と、
を有することを特徴とする情報処理方法。
【請求項２２】
表示部に表示される医用画像に関する複数の医用情報を取得する第１の取得手段と、
前記複数の医用情報に含まれる少なくとも一部の医用情報に基づいて、前記少なくとも一部の医用情報により示される事象と因果関係を有する事象についての推論結果を取得する第２の取得手段と、
前記医用画像と、前記推論結果と、前記複数の医用情報のうち前記推論結果に影響を与えた医用情報とを前記表示部に表示させる表示制御手段と、
を有することを特徴とする情報処理システム。
【手続補正２】
【補正対象書類名】明細書
【補正対象項目名】発明の名称
【補正方法】変更
【補正の内容】
【発明の名称】情報処理装置、情報処理方法および情報処理システム
【手続補正３】
【補正対象書類名】明細書
【補正対象項目名】００１０
【補正方法】変更
【補正の内容】
【００１０】
本発明の一態様による情報処理装置は以下の構成を有する。すなわち、
表示部に表示される医用画像に関する複数の医用情報を取得する第１の取得手段と、
前記複数の医用情報に含まれる少なくとも一部の医用情報に基づいて、前記少なくとも一部の医用情報により示される事象と因果関係を有する事象についての推論結果を取得する第２の取得手段と、
前記医用画像と、前記推論結果と、前記複数の医用情報のうち前記推論結果に影響を与えた医用情報とを前記表示部に表示させる表示制御手段と、を有する。